(57)【要約】      （修正有）【課題】金属検出システムを提供する。【解決手段】送信装置１と接続される送信コイル２１と、金属検出システムが平衡状態にある場合、相互に相殺する出力信号ｓ２２，ｓ２３を受信装置３に提供する第１及び第２の受信コイル２２，２３とを備える、平衡コイルシステム２を含む金属検出システム動作を監視する。変調された監視信号ｓ３００が、少なくとも１つの受信コイル２２、２３と誘導的に接続される監視コイル２４へ供給され、その出力信号ｓ２２，ｓ２３が、復調された監視信号ｓ３０を提供する復調装置３４において復調され、位相及び／又は振幅の面で基準ｓ３と比較される。測定偏差が特定の閾値を超えた場合、警告する。【選択図】図１
2012083346.tif 000002
【特許請求の範囲】
【請求項１】
固定又は可変の送信周波数（ｆＴＸ）を有する送信信号（ｓ１）を提供する送信装置（１）と接続される送信コイル（２１）と、金属検出システムが平衡状態にある場合、相互に相殺する出力信号（ｓ２２，ｓ２３）を受信装置（３）に提供する第１及び第２の受信コイル（２２，２３）とを備えた平衡コイルシステム（２）を含む金属検出システムの動作を監視するための方法であって、
前記送信周波数（ｆＴＸ）を有する搬送波信号（ｓ０１，ｓ１）及び監視周波数（ｆＭＯＮ）を有する監視信号（ｓ３）が、前記搬送波信号（ｓ１，ｓ１’）を抑制して変調された監視信号（ｓ３００）を提供する変調装置（１５）に提供され、当該監視信号は前記少なくとも１つの受信コイル（２２，２３）と誘導的に接続される監視コイル（２４）へ供給さ、前記受信コイルの出力信号（ｓ２２，ｓ２３）が、復調された監視信号（ｓ３０）を提供する復調装置（３４）において復調され,位相及び／又は振幅の面で基準と比較され、測定された偏差が特定の閾値を超えた場合、警告を与えることを特徴とする方法。
【請求項２】
前記監視周波数が、前記金属検出システムの動作中、測定される対象物によって前記平衡コイルシステム（２）の中に誘導される前記製品信号の前記周波数範囲を超えるように選択されることを特徴とする請求項１記載の方法。
【請求項３】
基準装置（１１）が、５０Ｈｚと１０００Ｈｚの間の範囲、望ましくは５００Ｈｚと７００Ｈｚの間の範囲の前記監視周波数（ｆＭＯＮ）を前記監視信号（ｓ３）に提供する分配装置（１４）に基準周波数信号（ｓ０）を提供することを特徴とする請求項１又は２記載の方法。
【請求項４】
前記搬送波信号（ｓ１）が、前記送信信号（ｓ１）を前記送信コイル（２１）に供給する電力増幅器（１３）の出力から得られること、又は前記搬送波信号（ｓ０１）が、基準周波数を前記電力増幅器（１３）に提供する周波数合成器のような信号源（１２）から得られることを特徴とする請求項１、２、又は３記載の方法。
【請求項５】
前記変調装置（１５）が、１つ又は２つの側波帯に関する項と相殺される前記搬送波信号に関する項とを提供する単側波帯変調器又は両側波帯変調器であって、１つ又は２つの側波帯だけが、前記監視コイル（２４）に供給されることを特徴とする請求項１〜４記載のうち１つによる方法。
【請求項６】
前記受信コイル（２２，２３）が、１つのテールが相互に接続され、他方のテールが、同一の２つの中央タップ付二次巻線を有していてそのテールが、増幅器（３２）と接続される平衡トランス（３１）の同一の２つの中央タップ付一次コイルのテールそれぞれと接続され、増幅信号を、望ましくはフィルター装置（３３）を介し前記復調された監視信号（ｓ３０）の少なくとも同相成分及び直角位相成分を提供する前記復調装置（３４）へ転送することを特徴とする請求項１〜５記載のうち１つによる方法。
【請求項７】
前記復調された監視信号（ｓ３０）の前記同相成分及び前記直角位相成分、及び／又は前記関連する位相角が、前記金属検出システムの最終テスト中に測定されストアされた対応する値と比較され、そのために少なくとも前記金属検出システムの通常動作中に決して超えることのない前記閾値が提供されていることを特徴とする請求項６記載の方法。
【請求項８】
前記搬送波信号（ｓ０１，ｓ１）の前記同相成分及び前記直角位相成分が、復調するための基準と、前記復調された監視信号（ｓ３０）の前記同相成分及び前記直角位相成分及び／又は前記関連する位相角に関する基準を測定するための基準として、前記復調装置（３４）に提供されること、及び／又は前記監視信号（ｓ３）が、前記復調された監視信号（ｓ３０）の前記同相成分及び前記直角位相成分の偏差及び／又は前記関連する位相角を測定するための基準として使用されること、を特徴とする請求項７記載の方法。
【請求項９】
固定又は可変の送信周波数（ｆＴＸ）を有する送信信号（ｓ１）を提供する送信装置（１）と接続される送信コイル（２１）と、前記金属検出システムが平衡状態にある場合、相互に相殺する出力信号（ｓ２２，ｓ２３）を受信装置（３）に提供する第１及び第２の受信コイル（２２，２３）とを備えた、平衡コイルシステム（２）を含み、請求項１〜８記載のうち１つに定義されているような方法に従って作動する金属検出システムであって、
前記送信周波数（ｆＴＸ）を有する搬送波信号（ｓ０１，ｓ１）と、監視周波数（ｆＭＯＮ）を有する監視信号（ｓ３）とを供給され、抑制された搬送波信号（ｓ１，ｓ１’）を用いて変調された監視信号（ｓ３００）を、前記受信コイル（２２，２３）のうち少なくとも１つと誘導的に接続される監視コイル（２４）に提供する変調装置（１５）が提供され、前記受信コイルの出力信号（ｓ２２，ｓ２３）が、復調された監視信号（ｓ３０）を信号処理装置（４）に提供する復調装置（３４）において復調され、前記監視信号（ｓ３）のような基準からの前記復調された監視信号（ｓ３０）の位相及び／又は振幅の偏差を測定し、測定される偏差が、特定の閾値を超えた場合、警告を与えるように設計されることを特徴とするシステム。
【請求項１０】
電力増幅器（１３）が、前記送信装置（１）に提供されていて、前記搬送波信号（ｓ１）を提供しているその出力が、前記送信コイル（２１）及び前記変調装置（１５）の第１の入力と接続されている、又は周波数合成器（１２）のような信号源（１２）が、前記搬送波信号（ｓ０１）を提供しておりその出力が、前記電力増幅器（１３）の入力及び前記変調装置（１５）の前記第１の入力と接続されている、ことを特徴とする請求項９記載の金属検出システム。
【請求項１１】
基準装置（１１）が、基準周波数信号（ｓ０）を、望ましくは前記信号源（１２）と、前記変調装置（１５）の第２の入力に前記監視信号（ｓ３）を提供する分配装置（１４）と、に提供することを特徴とする請求項９又は１０記載の金属検出システム。
【請求項１２】
前記変調装置（１５）が、単側波帯変調器又は両側波帯変調器であって、１つ又は２つの側波帯に関する項及び相殺される前記搬送波信号に関する項を提供し、１つ又は２つの側波帯だけが前記監視コイル（２４）に供給されることを特徴とする請求項９、１０、又は１１記載の金属検出システム。
【請求項１３】
前記受信コイル（２２，２３）が、１つのテールが相互と接続され、他方のテールが、同一の２つの中央タップ付二次巻線を有しそのテールが増幅器（３２）と接続される平衡トランス（３１）の同一の２つの中央タップ付一次コイルのテールそれぞれと接続され、増幅された信号を、望ましくはフィルター装置（３３）を介し少なくとも前記復調される監視信号（ｓ３０）の同相成分及び直角位相成分を提供する前記復調装置（３４）へ転送することを特徴とする請求項９〜１２の１つに記載の金属検出システム。
【請求項１４】
前記復調された監視信号（ｓ３０）が、望ましくは少なくとも１つのフィルター装置（３５）を介し、アナログ−デジタルコンバーター（３７）へ転送され、デジタル形成の前記復調された監視信号（ｓ３０）を前記信号処理装置（４）に提供することを特徴とする請求項９〜１３の１つに記載の金属検出システム。
【請求項１５】
前記監視コイル（２４）が、前記受信コイル（２２；２３）のテールの１つの周りに巻かれており、前記測定対象物が、前記監視コイル（２４）の中を移動しないことを特徴とする請求項９〜１４の１つに記載の金属検出システム。
【発明の詳細な説明】
【技術分野】
【０００１】
本発明は、金属検出システムの動作を監視するための方法及びこの方法を実装する金属検出システムに関する。
【背景技術】
【０００２】
工業金属検出システムは、不要な金属混入物を検出し、拒絶するために使用される。それが適切に導入され、作動されたとき、金属の混入を抑止し、食品の安全性を改善することを支援する。現代の金属探知器のほとんどは、「平衡コイルシステム」を含む探索ヘッドを利用している。この設計の探知器は、生鮮製品及び冷凍製品など多種多様な製品中の鉄類、非鉄類、及びステンレス鋼を含む金属混入物のタイプすべてを検出可能である。
【０００３】
「平衡コイル」の原理に従って作動する金属検出システムは、典型的に他方それぞれと正確に平行な、非金属枠上に巻かれた３つのコイルを含む。中央に位置付けられる送信コイルが、磁界を生成する高周波電流で励起される。送信コイルのそれぞれの側の２つのコイルが、受信コイルとして作用する。２つの受信コイルは同一であって、送信コイルから同一の距離に設置されるので、同一電圧が、それらそれぞれに誘導される。システムが平衡状態にあるときに０の出力信号を受信するために、受信コイルは、反転した巻線の感度を有する第２の受信コイルと直列に接続される。従ってシステムが、金属混入物のない平衡状態にある場合、受信コイルに誘導される電圧は、同一の振幅で逆極性なので相互に相殺する。
【０００４】
金属粒子がコイルの配列の中を通り抜けるとき、高周波電磁界が、最初、一方の受信コイル近くで乱され、その後、他方の受信コイル近くで乱される。金属粒子が受信コイルの中を運ばれると同時に受信コイルそれぞれに誘導される電圧が、（ナノボルト単位で）変化する。平衡状態におけるこの変化は、受信コイルの出力に結果として信号をもたらし、それが処理され、増幅され、続いて金属混入物の存在を検出するために使用される。
【０００５】
複数の信号処理チャネルが、受信信号をお互いに９０度離れた２つの個別成分へ分割する。合成ベクトルは、コイルの中を運ばれる製品及び混入物質に対し典型的な大きさ及び位相角を有している。金属混入物を特定するために「製品効果」が、除外又は減らされる必要がある。製品の位相は知られているので、相当する信号ベクトルが縮小され得る。したがって信号スペクトルから不要な信号を除くことが、混入物から発する信号に対するより高い感度をもたらす。
【０００６】
混入物の種類及び量に関する情報を取得するため、及び「製品効果」又は振動などの乱れによってもたらされる不要な信号を少なくとも部分的に除くために、システムが、測定された信号の正確な信号振幅及び信号位相を処理することは重要である。
【０００７】
信号振幅又は信号位相を低下させるシステム欠陥が生じた場合、もはや生産プロセス品質を反映する測定結果は信頼できない。混入物が存在する場合、どのシステムも警告を発し得ない（検出漏れ）。その代わりに混入物が存在しない場合、システムが警告を発し得る（誤検出）。
【０００８】
金属検出システムが正しく設定されていることを検証する従来方法は、上記のシステム欠陥を検出できない。
【発明の概要】
【発明が解決しようとする課題】
【０００９】
故に本発明は、金属検出システム動作を監視するための改良された方法を提供する目的と、この方法によって作動する金属検出システムを提供する目的と、に基づく。
具体的には、本発明は、金属検出システムが製品混入物を正確に検出することを阻害する機能不良を検出可能にする方法を提供する目的に基づく。
【００１０】
より具体的には、本発明は、金属検出システムの誤検出及び検出漏れメッセージを回避可能にする方法を提供する目的に基づく。
【課題を解決するための手段】
【００１１】
本発明の上記目的及び別の目的は、請求項１に定義される金属検出システム動作を監視するための改良された方法、及び請求項９に定義される、本方法に従って作動する金属検出システムによって達成される。
【００１２】
本方法は、固定又は可変の送信周波数を有する送信信号を提供する送信装置と接続される送信コイルと、出力信号を受信装置に提供する第１及び第２の受信コイルとを備える、平衡コイルシステムを含む金属検出システムを作動するための役割を果たす。コイルシステムは、金属検出システムが平衡状態にある場合、出力信号が相互を相殺するような方法で設計され、配置される。
【００１３】
本発明に従って、送信周波数を有する搬送波信号及び監視周波数を有する監視信号が、搬送波信号を抑制し、変調された監視信号を提供する変調装置に提供され、前記変調された監視信号が少なくとも１つの受信コイルと誘導的に接続される監視コイルへ供給される。受信コイルの出力信号が更に、少なくとも復調された監視信号を提供する復調装置において処理され、復調され、監視信号の位相及び／又は振幅のような基準と、前記復調された監視信号が位相及び／又は振幅の面で比較される。位相又は振幅の測定偏差が、特定の閾値を超えた場合、金属検出システムの機能不良が発生していることを示す警告がもたらされる。
【００１４】
本発明の方法は、測定性能が仕様の範囲内にあるか否か、金属検出システムの性能を測定し、検証できるようにする。本システムの送信部及び受信部が、正しく作動しているか否かチェックされ得る。更に、設置場所からの影響、例えば振動又は磁界など、別の撹乱が、金属検出システム及び測定プロセス上に負の影響を与えているか否かチェックされ得る。
【００１５】
金属検出システム性能の測定プロセスは、煩わしい一方、ひいては非常に信頼でき、測定処理において、この処理に関する乱れ影響のいくつかは回避される。このため、平衡コイルシステムへ導入される信号は、測定プロセスとの干渉が全く生じない方法で選択される。監視周波数は、金属検出システムの作動中、測定される対象物によって平衡コイルシステムへ誘導される製品信号の周波数領域を超えるように選択される。
【００１６】
監視信号を測定プロセスから切り離すことも、望ましくは受信基板に装着される受信コイルの一方のテールの周りに巻かれる監視コイルの配置及び設置によって達成される。有り得る残りの監視信号の影響も、金属検出システムの最終較正を用いて出来るだけ除かれ得る。他方、測定される製品が、監視コイルの中を移動しないので、測定プロセスも監視プロセスを乱さない。
【００１７】
監視周波数は、５０Ｈｚから１０００Ｈｚの範囲、望ましくは５００Ｈｚと７００Ｈｚの間の範囲で選択される。例えば、６１５Ｈｚの周波数が選択される。望ましくは、動作中、監視周波数の偶数倍であるように送信周波数が変更し得る方法で、監視周波数及び送信周波数が、選択される。この実施形態において、システム全体が位相を揃えて作動し、信号処理装置における位相コヒーレンスに関する付加的テストを可能にする。監視周波数は、望ましくは基準周波数を提供する基準装置から得られ、分配装置を介し変調装置の第１の入力へ転送され得る。分配装置が、監視周波数を取得するために、基準周波数を偶数分割する。
【００１８】
第１の基本実施形態において、変調装置の第１の入力へ供給される搬送波信号は、送信信号を送信コイルに供給する電力増幅器の出力から得られる。第２の基本実施形態において、搬送波信号は、基準周波数を電力増幅器に提供する周波数合成器のような信号源から得られる。信号源は、送信周波数又はその倍数を提供し得、望ましくは、同相成分及び直角位相成分を含む送信周波数を提供する別の分周装置へ転送される。本システムの最初の段から搬送波信号周波数及び／又は監視信号周波数を得ることは、初期段階から最終段階までのシステムチェックを可能にする。
【００１９】
搬送波信号及び送信信号は同一周波数を有するので、変調された監視周波数は、常に送信周波数に対し一定の周波数オフセットを有する。この一定の周波数オフセットが、監視周波数に相当する。
【００２０】
故に、例えば現在の測定プロセスのためのより好都合な周波数値が見出されているので、監視プロセスは、送信周波数が変更された場合でも中断されない。
無搬送波の監視信号を取得するプロセスに関しては、両側波帯変調及び単側波帯変調原理が適用される。復調するために、変調された監視信号の抑制された搬送波が常に送信装置から利用可能である。
【００２１】
最好適実施例において、変調装置は、それらの位相角によって相殺される１つの側波帯に対する項及び搬送波信号に対する項を提供する単側波帯変調器である。残りの側波帯に関しては、同相である項が提供される。その結果、送信周波数から監視周波数だけオフセットした周波数を有する単側波帯が監視コイルへ供給される。
【００２２】
好適実施例において、受信コイルは、１つのテールが相互に接続され、他方のテールが平衡トランスの同一の２つの中央タップ付一次巻線のテールそれぞれと接続される。平衡トランスは、同一の２つの中央タップ付二次巻線を有していて、その反対側のテールが増幅器と接続される。増幅器が、望ましくはフィルター装置を介して復調装置へ増幅された信号を転送し、復調装置は復調された監視信号の同相成分及び直角位相成分と、望ましくは測定される製品から発するベースバンド信号又は製品信号も金属検出システムに提供する。
【００２３】
このために、搬送波信号の周波数を有する基準信号、例えば搬送波信号の同相成分及び直角位相成分は、合成ベクトルの振幅又は位相偏差を検出するために更に評価される復調された監視信号の同相成分及び直角位相成分を生成する復調装置の基準入力へ提供される。好適実施例において、復調装置は、製品信号の同相成分及び直角位相成分も提供する。
【００２４】
望ましくは監視信号が、復調された監視信号を評価するための基準として使用される。このために、監視信号が、送信段から受信段へ直接に供給される。
好適実施例において、復調された監視信号の同相成分及び直角位相成分及び／又は関連する位相角が、金属検出システムの最終テスト中に測定されてストアされた対応する値と比較される。更に、金属検出システムの通常動作中に測定される位相又は振幅が超えてはならない、少なくとも１つの閾値が提供される。しかしながら、閾値が超えた場合、本信号処理装置は、システムの機能不良を示す警告を発する。
【００２５】
本発明の目的及び利点は、はっきりと述べられているものも以下の説明を添付図面と一緒に考慮したとき見えるものもある。
【図面の簡単な説明】
【００２６】
【図１】本発明の金属検出システムのブロック図を示している。
【図２】図１に示される金属検出システムの送信装置（１）のブロック図を示している。
【発明を実施するための形態】
【００２７】
図１は、送信装置（１）、送信コイル（２１）、第１と第２の受信コイル（２２）、（２３）、及び監視コイル（２４）を有する平衡コイルシステム（２）、受信装置（３）、信号処理装置（４）、及び標準インターフェース、入力装置、及び出力装置、特にモニターを含む計算機システム（５）を含む本発明の金属検出システムのブロック図を示している。図１は更に、製品（Ｐ）が送信コイル（２１）及び受信コイル（２２）、（２３）の中に送られるコンベアー（６）を示している。
【００２８】
図２を参照し詳述される送信装置（１）は、送信信号（ｓ１）を平衡コイルシステム（２）の送信コイル（２１）に提供し、変調された監視信号（ｓ３００）を平衡コイルシステム（２）の監視コイル（２４）に提供する。更に、送信装置（１）は、送信周波数（ｆＴＸ）を有する基準信号（ｓ１０；ｓ０１）を受信装置（３）に提供する。加えて、監視信号（ｓ３００）に関連する更なる信号（ｓ３）が、望ましくは基準として提供される（図２参照）。
【００２９】
送信信号（ｓ１）は、システムが平衡状態にある間、すなわち、運ばれる製品（Ｐ）が金属に混入されていない間、同一振幅であるが、しかし逆極性の信号（ｓ２２）、（ｓ２３）を同一の受信コイル（２２）、（２３）に誘導する。
【００３０】
製品（ＰＣ）が、電気的導伝体が混入されている場合、同一の受信コイル（２２）、（２３）内の信号（ｓ２２）、（ｓ２３）が、その製品（ＰＣ）が平衡コイルシステム（２）の中を通り抜ける間、変化する。その結果、受信コイル（２２）、（２３）に誘導される送信周波数（ｆＴＸ）は、ベースバンド信号を用いて変調され、その振幅及び周波数が、電気的導伝体の特性、容量、及び移動速度によって決まる。
【００３１】
電気的導伝体は、監視コイル（２４）の中を動かないので、監視コイル（２４）の磁界は乱されない。送信コイル（２１）と受信コイル（２２）、（２３）が配置されるフレーム（２０）の外側に、監視コイル（２４）を置くことによって干渉が、更に回避される。図１に示されるように、監視コイル（２４）が、受信装置（３）と接続される第２の受信コイル（２３）の脚の周りに巻かれる。従って製品（Ｐ）は、監視コイル（２４）の中を動かない。
【００３２】
受信コイル（２２）、（２３）の出力信号（ｓ２２）と（ｓ２３）及び受信コイル（２２）、（２３）へ誘導された変調された監視信号（ｓ３００）は、受信コイル（２２）、（２３）を正確に映し出している平衡トランス（３１）の中央タップ付一次コイルに適用される。更に、平衡トランス（３１）は同一の２つの中央タップ付二次巻線を含んでいて、その反対側のテールが増幅器（３２）と接続されている。増幅器（３２）の出力が、増幅されてフィルター処理された信号を復調装置（３４）に提供するフィルター装置（３３）と接続され、その出力に、復調された監視信号（ｓ３０）の同相成分及び直角位相成分と、運ばれた製品（Ｐ）から発するベースバンド信号（ｓｐ）の同相成分及び直角位相成分と、を提供する。
【００３３】
復調装置（３４）の出力に提供される同相信号及び直角位相信号は更に、所望の信号を利得装置（３６）に渡し、処理された信号の振幅を所望の値に設定可能なフィルター装置（３５）へ転送される。続いてフィルター処理され較正された信号が、アナログ−デジタルコンバーター（３７）においてアナログ形式からデジタル形式へ変換される。アナログ−デジタルコンバーター（３７）の出力信号は、周知のデジタル信号処理装置（４）のような信号処理装置へ転送され、デジタル信号処理装置が、復調され処理された監視信号と、基準値、例えば、基準信号（ｓ３）の位相及び振幅と比較する。評価プロセスの結果データが、その後、金属検出システムの中央演算処理装置などのデータ演算処理装置又はそれを装着した計算機端末（５）へ転送される。復調された信号が、あらかじめ設定された閾値よりも大きいことによって特定の基準と異なる場合、警告が起きる。
【００３４】
測定プロセスを制御するために、信号処理装置（４）は、送信装置（１）及び受信装置（３）に提供される様々なモジュール機能を制御し得る。このために、信号処理装置（４）は、第１の制御信号（ｃ３２）を増幅装置（３２）へ、第２の制御信号（ｃ３３）を第１のフィルター装置（３３）へ、第３の制御信号（ｃ３５）を第２のフィルター装置（３５）へ、第４の制御信号（ｃ３６）を利得装置（３６）へ、第５の制御信号（ｃ３７）をアナログ−デジタルコンバーター（３７）へ転送する。これらの制御信号（ｃ３２）、（ｃ３３）、（ｃ３５）、（ｃ３６）、及び（ｃ３７）を用いると、個々の受信装置（３２）、（３３）、（３５）、（３６）、及び（３７）における増幅特性及びフィルター特性が選択され又は調整され得る。第６の制御信号（ｃ１２）が、後述するような送信装置（１）へ転送される。
【００３５】
図２は、図１に示される金属検出システムの送信装置（１）のブロック図を示している。
送信装置（１）は、基準周波数（ｆＲＥＦ）を有する基準信号（ｓ０）を、周波数合成器（１２）のような信号処理装置（４）から受信される第６の制御信号（ｃ１２）によって制御される信号源（１２）に提供する基準装置（１１）を含む。故に、信号処理装置（４）は、平衡コイルシステム（２）の送信コイル（２１）に増幅された送信信号（ｓ１）を提供している電力増幅器（１３）へ、信号（ｓ０１）とともに転送される適切な送信周波数（ｆＴＸ）を選択し得る。
【００３６】
基準周波数（ｆＲＥＦ）を有する基準信号（ｓ０）は更に、基準周波数（ｆＲＥＦ）を偶数に分割する分配装置（１４）に提供され、かくして信号（ｓ３）とともに変調装置（１５）の第１の入力へ転送される監視周波数（ｆＭＯＮ）を取得する。送信周波数（ｆＴＸ）を有する搬送波信号（ｓ１）、（ｓ０１）が、周波数合成器（１２）の出力か又は電力増幅器（１３）の出力から変調装置（１５）の第２の入力へ提供される。
【００３７】
変調装置（１５）において、搬送波信号（ｓ１）、（ｓ０１）は、位相角（ａ１）（例えば４５度）を有する送信周波数（ｆＴＸ）を第１の混合装置（１５２）の第１の入力に提供し、位相角（ａ２）（ａ２=ａ１＋１８０度）を有する送信周波数（ｆＴＸ）を第２の混合装置（１５３）の第１の入力に提供する、第１の直角位相装置（１５１）へ転送される。
【００３８】
監視信号（ｓ３）は、位相角（ｂ１）（例えば０度）を有する監視周波数（ｆＭＯＮ）を第１の混合装置（１５２）の第２の入力に提供し、位相角（ｂ２）（ｂ２＝ｂ１＋１８０度又はｂ２＝ｂ１＋９０度）を有する監視周波数（ｆＭＯＮ）を第２の混合装置（１５３）の第２の入力に提供する第２の直角位相装置（１５６）へ転送される。
【００３９】
第１及び第２の混合装置（１５２）、（１５３）の出力信号が、加算装置（１５４）に提供され、そこで個々の信号が１８０度による位相から送信周波数項の結果と組み合わせられ、相殺される。
【００４０】
角度（ｂ１）及び（ｂ２）は位相が１８０度異なる場合、変調器は２つの側波帯を提供する。角度（ｂ１）及び（ｂ２）は位相が９０度異なる場合、変調器は１つだけの側波帯を提供する。従って、選択された位相角による単側波帯信号又は両側波帯信号、すなわち、周波数（ｆＴＸ＋ｆＭＯＮ）及び／又は周波数（ｆＴＸ−ｆＭＯＮ）を有する変調された監視信号（ｓ３００）が、増幅器（１５５）へ転送され、その出力が、第２の受信コイル（２３）の一方のテールの周りに巻かれている監視コイル（２４）と接続される。
【００４１】
従って、選択された送信周波数（ｆＴＸ）と無関係に変調される監視信号（ｓ３００）は常に監視周波数（ｆＭＯＮ）による送信周波数（ｆＴＸ）に対するオフセットである。しかしながら、搬送波周波数、すなわち送信周波数（ｆＴＸ）は抑制されたままであって、監視コイル（２４）に適用されず、故に製品（Ｐ）の測定も乱さない。
【００４２】
搬送波信号（ｓ０１）が、周波数合成器（１２）から実行される場合、復調された監視信号（ｓ３０）の評価が、電力増幅器（１３）のステータス情報を提供する。
搬送波信号（ｓ１）又は（ｓ０１）及び監視信号（ｓ３）は、望ましくは復調用及び評価用基準信号として受信装置（３）へ転送される。すべての信号は固定された位相であるので、信号処理装置（４）によって検出される監視信号（ｓ３）の位相又は振幅の変化は、外的影響か又は電子システム内部における変化のどちらか一方が発生していることを示すことになる。そのような変化は所定の境界範囲内において許容され、そのための閾値が信号演算処理装置（４）又は計算機端末（５）に事前にストアされている。閾値を超えた場合、金属検出システムに提供される本発明の監視システムが警告を発する。
【符号の説明】
【００４３】
１  送信装置
２  平衡コイルシステム
３  受信装置
４  信号処理装置
５  計算機システム
６  コンベヤー
１１  基準装置
１２  信号源
１３  電力増幅器
１４  分配装置
１５  変調装置
１６  変調装置
２０  フレーム
２１  送信コイル
２２  第１の受信コイル
２３  第２の受信コイル
２４  監視コイル
３１  平衡トランス
３２  増幅器
３３  フィルター装置
３４  復調装置
３５  フィルター装置
３６  利得装置
３７  アナログ−デジタルコンバーター
１５１  第１の直角位相装置
１５２  第１の混合装置
１５３  第２の混合装置
１５４  加算装置
１５５  増幅器
１５６  第２の直角位相装置
【図１】
2012083346.tif 000003
【図２】
2012083346.tif 000004
【外国語明細書】
2012083346000001.pdf